(57)【要約】【課題】排紙部が巻き取りボビンの外縁よりも外側に大きく突出している従来のプリンタよりも装置全体をコンパクトにする。【解決手段】印字ヘッド１によりインクリボン上のインクをカット紙Ｓに対して転写するための印字部３と、インクリボンを巻き取るための巻き取りボビン１２と、インクが転写されたカット紙Ｓを積載するための排紙トレイ１０とをプリンタに設け、巻き取りボビン１２の下側に排紙トレイ１０を配置する。詳細には、カット紙Ｓを搬送するための搬送ローラ対８，９を印字部３の上流側および下流側のそれぞれに１対のみ有するように給紙トレイ４と排紙トレイ１０とを近接して配置する。【選択図】        図１
2004237561.tif 000002
【特許請求の範囲】
【請求項１】
印字ヘッドによりインクリボン上のインクをカット紙に対して転写するための印字部と、インクリボンを繰り出すための繰り出しボビンと、インクリボンを巻き取るための巻き取りボビンと、インクが転写されたカット紙を積載するための排紙部とを具備するプリンタにおいて、前記巻き取りボビンの下側に前記排紙部を配置したことを特徴とするプリンタ。
【請求項２】
前記プリンタは更に、前記印字部に供給すべきカット紙を積載するための給紙部を具備し、前記繰り出しボビンの下側に前記給紙部を配置したことを特徴とする請求項１に記載のプリンタ。
【請求項３】
カット紙を搬送するための搬送ローラ対を前記印字部の上流側および下流側のそれぞれに１対のみ有するように、前記給紙部と前記排紙部とを近接して配置したことを特徴とする請求項１又は２に記載のプリンタ。
【請求項４】
前記巻き取りボビンの外縁よりも外側に前記排紙部を引き出すための引き出し機構を設けたことを特徴とする請求項１〜３のいずれか一項に記載のプリンタ。
【請求項５】
前記排紙部がプリンタの前側に引き出されるように前記引き出し機構を構成し、前記印字部を駆動するための駆動機構を前記巻き取りボビン及び前記繰り出しボビンの前側から排除し、前記巻き取りボビン及び前記繰り出しボビンの下側または後側に配置したことを特徴とする請求項４に記載のプリンタ。
【発明の詳細な説明】
【０００１】
【発明の属する技術分野】
本発明は、印字ヘッドによりインクリボン上のインクをカット紙に対して転写するための印字部と、インクリボンを繰り出すための繰り出しボビンと、インクリボンを巻き取るための巻き取りボビンとを具備するプリンタに関し、特には、インクが転写されたカット紙を積載するための排紙部が巻き取りボビンの外縁よりも外側に大きく突出するのに伴って装置全体が大型化してしまうのを回避することができるプリンタに関する。
【０００２】
【従来の技術】
従来、印字ヘッドによりインクリボン上のインクをカット紙に対して転写するための印字部と、インクリボンを繰り出すための繰り出しボビンと、インクリボンを巻き取るための巻き取りボビンとを具備するプリンタが知られている。この種のプリンタの例としては、例えば特許第２９９２２０４号公報に記載されたものがある。特許第２９９２２０４号公報には詳細に記載されていないが、従来のプリンタには、印字部においてインクが転写されたカット紙を積載するための排紙部が設けられている。
【０００３】
ところが、特許第２９９２２０４号公報に記載されたプリンタでは、特許第２９９２２０４号公報の図２に示すように、印字部においてインクが転写されたカット紙を搬送するための搬送路が、巻き取りボビンの外縁よりも外側まで延びている。つまり、特許第２９９２２０４号公報には詳細に図示されていないが、特許第２９９２２０４号公報に記載されたプリンタでは、巻き取りボビンの外縁よりも外側に排紙部が配置されている。すなわち、特許第２９９２２０４号公報に記載されたプリンタでは、インクが転写されたカット紙を積載するための排紙部が巻き取りボビンの外縁よりも外側に大きく突出している。その結果、特許第２９９２２０４号公報に記載されたプリンタでは、装置全体が大型化してしまう。
【０００４】
図５は他の従来のプリンタの正面図、図６は図５に示したプリンタの右側面図である。図５及び図６において、１０１は印字ヘッド、１０２は印字ヘッド１０１に対向する位置に配置されたプラテンローラ、１０３は印字ヘッド１０１によりインクリボン（図示せず）上のインクをカット紙Ｓに対して転写するための印字部である。１０４は印字部１０３に供給すべきカット紙Ｓを積載するための給紙部、１０５は給紙部１０４に積載されたカット紙Ｓの束から１枚のカット紙Ｓを分離して供給するための給紙ローラである。１０８ａ，１０８ｂ，１０８ｃは給紙ローラ１０５により供給されたカット紙Ｓを印字部１０３に搬送するための搬送ローラ対、１０９ａ，１０９ｂは印字部１０３においてインクが転写されたカット紙Ｓを搬送するための搬送ローラ対である。
【０００５】
１１０は印字部１０３においてインクが転写されたカット紙Ｓを積載するための排紙トレイ、１１１はインクリボン（図示せず）を印字部１０３に供給するための繰り出しボビン、１１２は印字部１０３に供給されたインクリボン（図示せず）を巻き取るための巻き取りボビンである。１１３は印字ヘッド１０１、繰り出しボビン１１１、及び巻き取りボビン１１２を担持するための蓋部である。蓋部１１３は、印字ヘッド１０１、繰り出しボビン１１１、及び巻き取りボビン１１２を担持した状態で、図６中の矢印で示すようにヒンジ１１４を中心として回動可能である。１１７は電源、１１８はモータ、１１９はメイン基板である。
【０００６】
図５及び図６に示すように、カット紙Ｓに対して印字が行われる時には、モータ１１８により給紙ローラ１０５が回転駆動され、給紙ローラ１０５及び分離パッド（図示せず）により、給紙部１０４に積載されたカット紙Ｓの束から１枚のカット紙Ｓが分離され、印字部１０３に向かって搬送される。
【０００７】
給紙ローラ１０５から供給された１枚のカット紙Ｓは、次いで、モータ１１８によって回転駆動されている搬送ローラ対１０８ａ，１０８ｂ，１０８ｃにより、印字ヘッド１０１とプラテンローラ１０２との間に搬送される。
【０００８】
図５及び図６には示していないが、インクリボンは繰り出しボビン１１１と巻き取りボビン１１２との間に巻架せしめられている。詳細には、繰り出しボビン１１１から繰り出されたインクリボンは、印字ヘッド１０１とプラテンローラ１０２との間に供給され、次いで、巻き取りボビン１１２によって巻き取られている。
【０００９】
すなわち、カット紙Ｓが印字ヘッド１０１とプラテンローラ１０２との間に搬送されると、カット紙Ｓがインクリボンに当接せしめられ、メイン基板１１９の制御回路（図示せず）からの信号に基づき、インクリボン上のインクが印字ヘッド１０１によってカット紙Ｓに対して転写せしめられる。
【００１０】
インクが転写せしめられたカット紙Ｓは、次いで、モータ１１８によって回転駆動されている搬送ローラ対１０９ａ，１０９ｂにより排紙トレイ１１０に搬送され、排紙トレイ１１０上に積載せしめられる。
【００１１】
ところが、図５及び図６に示した従来のプリンタにおいても、特許第２９９２２０４号公報に記載されたプリンタと同様に、印字部１０３においてインクが転写されたカット紙Ｓを搬送するための搬送路が、巻き取りボビン１１２の外縁よりも外側まで延びている。つまり、図５及び図６に示した従来のプリンタでは、巻き取りボビン１１２の外縁よりも外側に排紙トレイ１１０が配置されている。すなわち、図６に詳細に示すように、インクが転写されたカット紙Ｓを積載するための排紙トレイ１１０が巻き取りボビン１１２の外縁よりも外側に大きく突出している。その結果、図５及び図６に示した従来のプリンタでは、装置全体が大型化してしまう。
【００１２】
【特許文献１】
特許２９９２２０４号公報
【００１３】
【発明が解決しようとする課題】
前記問題点に鑑み、本発明は、インクが転写されたカット紙を積載するための排紙部が巻き取りボビンの外縁よりも外側に大きく突出するのに伴って装置全体が大型化してしまうのを回避することができるプリンタを提供することを目的とする。
【００１４】
【課題を解決するための手段】
請求項１に記載の発明によれば、印字ヘッドによりインクリボン上のインクをカット紙に対して転写するための印字部と、インクリボンを繰り出すための繰り出しボビンと、インクリボンを巻き取るための巻き取りボビンと、インクが転写されたカット紙を積載するための排紙部とを具備するプリンタにおいて、前記巻き取りボビンの下側に前記排紙部を配置したことを特徴とするプリンタが提供される。
【００１５】
請求項１に記載のプリンタでは、インクが転写されたカット紙を積載するための排紙部が巻き取りボビンの下側に配置されている。そのため、排紙部が巻き取りボビンの外縁よりも外側に大きく突出するのに伴って装置全体が大型化してしまうのを回避することができる。つまり、排紙部が巻き取りボビンの外縁よりも外側に大きく突出している従来のプリンタよりも装置全体をコンパクトにすることができる。
【００１６】
請求項２に記載の発明によれば、前記プリンタは更に、前記印字部に供給すべきカット紙を積載するための給紙部を具備し、前記繰り出しボビンの下側に前記給紙部を配置したことを特徴とする請求項１に記載のプリンタが提供される。
【００１７】
請求項２に記載のプリンタでは、排紙部が巻き取りボビンの下側に配置され、かつ、印字部に供給すべきカット紙を積載するための給紙部が繰り出しボビンの下側に配置されている。そのため、給紙部が繰り出しボビンの外縁よりも外側に大きく突出するのに伴って装置全体が大型化してしまうのを回避することができる。
【００１８】
請求項３に記載の発明によれば、カット紙を搬送するための搬送ローラ対を前記印字部の上流側および下流側のそれぞれに１対のみ有するように、前記給紙部と前記排紙部とを近接して配置したことを特徴とする請求項１又は２に記載のプリンタが提供される。
【００１９】
請求項３に記載のプリンタでは、カット紙を搬送するための搬送ローラ対を印字部の上流側および下流側のそれぞれに１対のみ有するように給紙部と排紙部とが近接して配置されている。そのため、給紙部と排紙部との間に３対以上の搬送ローラ対が配置されている場合よりも、搬送ローラ対によって搬送されるカット紙の斜行量を低減することができる。
【００２０】
尚、本明細書において、給紙部に積載されたカット紙束から１枚又は数枚のカット紙をピックアップするための「ピックアップローラ」、及びピックアップローラによりピックアップされた数枚のカット紙を１枚のカット紙に分離するための分離ローラ対を構成する「フィードローラ」並びに「リタードローラ」は、「搬送ローラ」に含まれない。
【００２１】
請求項４に記載の発明によれば、前記巻き取りボビンの外縁よりも外側に前記排紙部を引き出すための引き出し機構を設けたことを特徴とする請求項１〜３のいずれか一項に記載のプリンタが提供される。
【００２２】
排紙部が巻き取りボビンの下側に配置されるのに伴って排紙部に積載されたカット紙を取り出しづらくなるおそれがある点に鑑み、請求項４に記載のプリンタでは、巻き取りボビンの外縁よりも外側に排紙部を引き出すための引き出し機構が設けられている。詳細には、排紙部が巻き取りボビンの外縁よりも外側に引き出された状態で排紙部に積載されたカット紙が取り出される。そのため、排紙部が巻き取りボビンの下側に位置している状態で排紙部に積載されたカット紙が取り出される場合よりも、カット紙の取り出しを容易にすることができる。
【００２３】
請求項５に記載の発明によれば、前記排紙部がプリンタの前側に引き出されるように前記引き出し機構を構成し、前記印字部を駆動するための駆動機構を前記巻き取りボビン及び前記繰り出しボビンの前側から排除し、前記巻き取りボビン及び前記繰り出しボビンの下側または後側に配置したことを特徴とする請求項４に記載のプリンタが提供される。
【００２４】
請求項５に記載のプリンタでは、排紙部がプリンタの前側に引き出されるように引き出し機構が構成され、印字部を駆動するための駆動機構が巻き取りボビン及び繰り出しボビンの前側から排除されている。そのため、駆動機構が巻き取りボビン及び繰り出しボビンの前側に配置されている場合よりも、排紙部を巻き取りボビンの外縁よりも前側に引き出すのに必要なストロークを短くすることができる。
【００２５】
【発明の実施の形態】
以下、添付図面を用いて本発明の実施形態について説明する。
【００２６】
図１は本発明のプリンタの一実施形態の正面図、図２は図１に示したプリンタの左側面図である。図１及び図２において、１は印字ヘッド、２は印字ヘッド１に対向する位置に配置されたプラテンローラ、３は印字ヘッド１によりインクリボン（図示せず）上のインクをカット紙Ｓに対して転写するための印字部である。４は印字部３に供給すべきカット紙Ｓを積載するための給紙トレイ、５は給紙トレイ４に積載されたカット紙Ｓの束から１枚又は数枚のカット紙Ｓをピックアップするためのピックアップローラである。６はピックアップローラ５によりピックアップされた数枚のカット紙Ｓを１枚のカット紙Ｓに分離するための分離ローラ対の一方を構成するフィードローラ、７は分離ローラ対の他方を構成するリタードローラである。８は分離ローラ対により分離されたカット紙Ｓを印字部３に搬送するための第１搬送ローラ対、９は印字部３においてインクが転写されたカット紙Ｓを搬送するための第２搬送ローラ対である。
【００２７】
１０は印字部３においてインクが転写されたカット紙Ｓを積載するための排紙トレイ、１１はインクリボン（図示せず）を印字部３に供給するための繰り出しボビン、１２は印字部３に供給されたインクリボン（図示せず）を巻き取るための巻き取りボビンである。１３は印字ヘッド１、繰り出しボビン１１、及び巻き取りボビン１２を担持するための蓋部である。蓋部１３は、印字ヘッド１、繰り出しボビン１１、及び巻き取りボビン１２を担持した状態で、図１中の矢印で示すようにヒンジ１４を中心として回動可能である。１７は電源、１８はモータ、１９はメイン基板である。
【００２８】
図１及び図２に示すように、カット紙Ｓに対して印字が行われる時には、モータ１８によりピックアップローラ５が回転駆動され、ピックアップローラ５により、給紙トレイ４に積載されたカット紙Ｓの束から１枚又は数枚のカット紙Ｓがピックアップされ、分離ローラ対（フィードローラ６、リタードローラ７）に供給される。
【００２９】
分離ローラ対に複数枚のカット紙Ｓが供給された場合には、モータ１８により、リタードローラ７がカット紙Ｓを排紙トレイ４に戻す向きに回転駆動され、リタードローラ７により、複数枚のカット紙Ｓが１枚のカット紙Ｓに分離せしめられる。複数枚のカット紙Ｓが１枚のカット紙Ｓに分離せしめられると、モータ１８からリタードローラ７への駆動力が例えばトルクリミッタにより遮断され、リタードローラ７は、カット紙Ｓを印字部３へ搬送する向きに回転しているフィードローラ６と連れ回りせしめられる。その結果、１枚に分離せしめられたカット紙Ｓが印字部３に向かって搬送される。
【００３０】
一方、分離ローラ対６，７に１枚のカット紙Ｓが供給された場合には、モータ１８からリタードローラ７への駆動力が上述したトルクリミッタにより遮断され、リタードローラ７は、カット紙Ｓを印字部３へ搬送する向きに回転しているフィードローラ６と連れ回りせしめられる。その結果、１枚のカット紙Ｓが印字部３に向かって搬送される。
【００３１】
分離ローラ対から供給された１枚のカット紙Ｓは、次いで、モータ１８によって回転駆動されている第１搬送ローラ対８により、印字ヘッド１とプラテンローラ２との間に搬送される。
【００３２】
図１及び図２には示していないが、インクリボンは繰り出しボビン１１と巻き取りボビン１２との間に巻架せしめられている。詳細には、繰り出しボビン１１から繰り出されたインクリボンは、印字ヘッド１とプラテンローラ２との間に供給され、次いで、巻き取りボビン１２によって巻き取られている。
【００３３】
すなわち、カット紙Ｓが印字ヘッド１とプラテンローラ２との間に搬送されると、カット紙Ｓがインクリボンに当接せしめられ、メイン基板１９の制御回路（図示せず）からの信号に基づき、インクリボン上のインクが印字ヘッド１によってカット紙Ｓに対して転写せしめられる。
【００３４】
インクが転写せしめられたカット紙Ｓは、次いで、モータ１８によって回転駆動されている第２搬送ローラ対９により排紙トレイ１０に搬送され、排紙トレイ１０上に積載せしめられる。
【００３５】
排紙トレイ１０上に積載されたカット紙Ｓがユーザーによって取り出される時には、図２中に矢印で示すように、排紙トレイ１０がプリンタの前側（図１の手前側、図２の右側）に引き出され、排紙トレイ１０上のカット紙Ｓがプリンタの前面２０よりも手前側まで引き出される。
【００３６】
本実施形態では、図１に示すように、インクが転写されたカット紙Ｓを積載するための排紙トレイ１０が巻き取りボビン１２の下側に配置されている。そのため、図５及び図６に示した従来のプリンタのように、排紙トレイ１１０が巻き取りボビン１１２の外縁よりも外側に大きく突出するのに伴って装置全体が大型化してしまうのを回避することができる。つまり、排紙トレイ１１０が巻き取りボビン１１２の外縁よりも外側に大きく突出している図５及び図６に示した従来のプリンタよりも装置全体をコンパクトにすることができる。
【００３７】
また、本実施形態では、図１に示すように、インクが転写されたカット紙Ｓを積載するための排紙トレイ１０が巻き取りボビン１２の下側に配置されるのみならず、印字部３に供給すべきカット紙Ｓを積載するための給紙トレイ４が繰り出しボビン１１の下側に配置されている。そのため、図５及び図６に示した従来のプリンタのように、給紙部１０４が繰り出しボビン１１１の外縁よりも外側に大きく突出するのに伴って装置全体が大型化してしまうのを回避することができる。
【００３８】
また、本実施形態では、図１に示すように、カット紙Ｓを搬送するための搬送ローラ対８，９を印字部３の上流側および下流側のそれぞれに１対のみ有するように給紙トレイ４と排紙トレイ１０とが近接して配置されている。そのため、図５及び図６に示したように給紙部１０４と排紙トレイ１１０との間に５対の搬送ローラ対１０８ａ，１０８ｂ，１０８ｃ，１０９ａ，１０９ｂが配置されている従来のプリンタよりも、搬送ローラ対８，９によって搬送されるカット紙Ｓの斜行量を低減することができる。
【００３９】
図３及び図４は図１及び図２に示した排紙トレイを引き出すための引き出し機構を説明する図である。詳細には、図３は図１及び図２に示した排紙トレイなどの拡大正面図、図４は図１及び図２に示した排紙トレイなどの拡大平面図である。図３及び図４において、２１は排紙トレイ１０を支持する第１アーム対の一方を構成するアーム、２１’は排紙トレイ１０を支持する第１アーム対の他方を構成するアーム、２２は排紙トレイ１０を支持する第２アーム対の一方を構成するアーム、２２’は排紙トレイ１０を支持する第２アーム対の他方を構成するアームである。２３は第１アーム対（アーム２１，２１’）により担持された第１シャフト、２４は第２アーム対（アーム２２，２２’）により担持された第２シャフトである。
【００４０】
図３及び図４に示すように、排紙トレイ１０は、第１シャフト２３を介して第１アーム対（アーム２１，２１’）に支持されると共に、第２シャフト２４を介して第２アーム対（アーム２２，２２’）に支持されている。また、排紙トレイ１０は、第１シャフト２３及び第２シャフト２４に対して図４の上下方向に摺動可能に第１シャフト２３及び第２シャフト２４によって支持されている。
【００４１】
排紙トレイ１０上に積載されたカット紙Ｓがユーザーによって取り出される時には、図４中に矢印で示すように、排紙トレイ１０がプリンタの前側（図３の手前側、図４の下側）に引き出され、図２に示したように、排紙トレイ１０上のカット紙Ｓがプリンタの前面２０よりも手前側（図２の右側）まで引き出される。
【００４２】
本実施形態では、図１〜図４に示したように、巻き取りボビン１２の外縁よりも外側に排紙トレイ１０を引き出すための引き出し機構（アーム２１、アーム２１’、アーム２２、アーム２２’、第１シャフト２３、第２シャフト２４）が設けられている。詳細には、排紙トレイ１０に積載されたカット紙Ｓがプリンタの前面２０よりも手前側まで引き出された状態でカット紙Ｓが取り出される。そのため、図２に実線で示したように排紙トレイ１０が巻き取りボビン１２の下側に位置している状態で排紙トレイ１０に積載されたカット紙Ｓが取り出される場合よりも、カット紙Ｓの取り出しを容易にすることができる。
【００４３】
また、本実施形態では、図２に示したように、排紙トレイ１０がプリンタの前側（図２の右側）に引き出されるように構成されるのに伴い、印字部３、カット紙Ｓの搬送系などを駆動するための駆動機構を構成する電源１７、モータ１８、メイン基板１９が巻き取りボビン１２及び繰り出しボビン１１の前側（図２の右側）から排除されている。そのため、例えば図５に示したように電源１１７を巻き取りボビン１１２及び繰り出しボビン１１３の右側（図５の右側）に配置した場合よりも、排紙トレイ１０をプリンタの前面２０よりも前側（図２の右側）に引き出すのに必要なストロークを短くすることができる。
【００４４】
本実施形態では、図２に示したように、印字部３、カット紙Ｓの搬送系などを駆動するための駆動機構を構成する電源１７、モータ１８、メイン基板１９が巻き取りボビン１２及び繰り出しボビン１１の後側（図２の左側）に配置されているが、他の実施形態では、電源１７、モータ１８、メイン基板１９の一部を巻き取りボビン１２及び繰り出しボビン１１の下側に配置することも可能である。
【００４５】
本発明のプリンタは、例えば名刺用プリンタに適用可能であるが、他のカット紙用プリンタにも適用可能である。
【００４６】
【発明の効果】
請求項１に記載の発明によれば、排紙部が巻き取りボビンの外縁よりも外側に大きく突出するのに伴って装置全体が大型化してしまうのを回避することができる。つまり、排紙部が巻き取りボビンの外縁よりも外側に大きく突出している従来のプリンタよりも装置全体をコンパクトにすることができる。
【００４７】
請求項２に記載の発明によれば、給紙部が繰り出しボビンの外縁よりも外側に大きく突出するのに伴って装置全体が大型化してしまうのを回避することができる。
【００４８】
請求項３に記載の発明によれば、給紙部と排紙部との間に３対以上の搬送ローラ対が配置されている場合よりも、搬送ローラ対によって搬送されるカット紙の斜行量を低減することができる。
【００４９】
請求項４に記載の発明によれば、排紙部が巻き取りボビンの下側に位置している状態で排紙部に積載されたカット紙が取り出される場合よりも、カット紙の取り出しを容易にすることができる。
【００５０】
請求項５に記載の発明によれば、駆動機構が巻き取りボビン及び繰り出しボビンの前側に配置されている場合よりも、排紙部を巻き取りボビンの外縁よりも前側に引き出すのに必要なストロークを短くすることができる。
【図面の簡単な説明】
【図１】本発明のプリンタの一実施形態の正面図である。
【図２】図１に示したプリンタの左側面図である。
【図３】図１及び図２に示した排紙トレイなどの拡大正面図である。
【図４】図１及び図２に示した排紙トレイなどの拡大平面図である。
【図５】従来のプリンタの正面図である。
【図６】図５に示したプリンタの右側面図である。
【符号の説明】
１  印字ヘッド
２  プラテンローラ
３  印字部
４  給紙トレイ
８  第１搬送ローラ対
９  第２搬送ローラ対
１０  排紙トレイ
１１  繰り出しボビン
１２  巻き取りボビン
【図１】
2004237561.tif 000003
【図２】
2004237561.tif 000004
【図３】
2004237561.tif 000005
【図４】
2004237561.tif 000006
【図５】
2004237561.tif 000007
【図６】
2004237561.tif 000008